(57)【要約】【課題】２以上の携帯電子機器への接続部を兼備した出力装置において、機器の接続状態により出力を制御する出力装置を提供する事を目的とする。【解決手段】２つ以上の携帯電子機器への接続部を兼備した出力装置において、本装置と携帯電子機器の接続状態を検知して出力を制御することにより、携帯電話およびオーディオ機器など複数個同時に接続された場合など、本来それぞれの機器に必要とされる電流量を供給できないことや、供給しようとした場合、出力装置の電流過多により装置内部の発熱問題が生じるようなことのない、安全でかつ安定した電源を供給することができるように構成した。【選択図】図１
2010011573.tif 000002
【特許請求の範囲】
【請求項１】
２つ以上の携帯電子機器への接続部を兼備した出力装置において、出力部への機器接続状態を検出し、同時に複数の携帯電子機器に出力電流を供給しないように出力を制御する携帯電子機器への出力装置。
【請求項２】
２つ以上の携帯電子機器への接続部を兼備した出力装置において、２つ以上の携帯電子機器が接続されている場合、優先された機器への出力終了後、順次に第二優先の機器に対して出力を行う携帯電子機器への出力装置。
【請求項３】
携帯電話およびオーディオ機器などが各接続部に接続されたことを、接続するコネクターの機械的接触により検出するスイッチを具備したことを特徴とする、請求項１および請求項２記載の携帯電子機器への出力装置。
【請求項４】
各出力部を一定間隔で順次にＯＮ／ＯＦＦし、ＯＮしたときの出力電流の有無により、どの出力部に携帯電子機器が接続されているかを検出する手段を設けたことを特徴とする請求項１および請求項２記載の携帯電子機器への出力装置。
【請求項５】
各出力部を一定間隔で順次にＯＮ／ＯＦＦし、ＯＮしたときに一定期間出力電流が流れない場合は、出力ＯＮ／ＯＦＦ動作を停止させる手段を設けたことを特徴とする請求項１および請求項２記載の携帯電子機器への出力装置。
【請求項６】
２つ以上の携帯電子機器が接続されている場合、優先機器を決定し出力を行うことが可能な出力装置であり、その優先機器の選択において、優先する出力をユーザーの好みで決めることが可能な機械的なスイッチを有する請求項２記載の携帯電子機器への出力装置。
【発明の詳細な説明】
【技術分野】
【０００１】
本発明は、２つ以上の携帯電子機器への接続部を兼備した出力装置において、機器の接続状態および出力状態により、出力を制御する携帯電子機器への出力装置に関するものである。
【背景技術】
【０００２】
近年、携帯電話やオーディオ機器などの電子機器を充電するための出力装置が多く販売されており、それぞれ携帯電話およびオーディオ機器に特化した製品が存在する。今後、汎用性をもたせるため、携帯電話およびオーディオ機器の出力口をそれぞれ１つ以上装備された出力装置が今後容易に開発され商品化されると考えられる。
【０００３】
一方で、出力口が一つでケーブルの分岐により２つ以上の携帯電子機器に接続して出力する手法が種々提案されている。例えば、携帯電話機や電子機器の家庭用充電器のケーブル上に分岐器具を設置し、それよりケーブルを延伸させその先端に携帯電話用充電コネクターをそれぞれ設置することで、複数の携帯電話機の充電が可能とする方法が提案されている（例えば、特許文献１参照）。
【特許文献１】実用新案登録第３１３０４１９号公報
【発明の開示】
【発明が解決しようとする課題】
【０００４】
しかしながら特許文献１のように、携帯電子機器が携帯電話およびオーディオ機器など複数個同時に接続された場合、本来それぞれの機器に必要とされる電流量を供給できないことや、供給しようとした場合、出力装置の電流過多により装置内部の発熱問題が生じる可能性がある。また複数個携帯電子機器を接続されることで、接続機器相互への影響が生じる可能性があるという課題を有していた。
【課題を解決するための手段】
【０００５】
前記従来の課題を解決するために、本発明は、２つ以上の携帯電子機器への接続部を兼備した出力装置において、機器の接続状態により出力を制御することを特徴とするものである。
【０００６】
本発明の２つ以上の携帯電子機器への接続部を兼備した出力装置において、物理的に検知可能な機構またはスイッチなどを用いることによって接続されているかどうかを検知し、その検知した１つの携帯電子機器に対して出力を行うことを特徴とする。
【０００７】
また、物理的に検知可能な機構またはスイッチなどを用いない場合は、２つ以上の携帯電子機器への接続部に流れる電流を検出することにより、電流の有無を判断して、電流を検出した側の出力ＯＮを継続し、電流の検出がない側を出力ＯＦＦするという出力切り換えを行うことを特徴とする。
【０００８】
また、本発明にかかる前記携帯電子機器への出力制御は、１つの携帯電子機器に対して出力を行うものであって、２つ以上の携帯電子機器が接続されている場合は、出力を切り換えて電流の有無で接続を判断する手段を用いて、１つの携帯電子機器に対して出力が完了した後、その他の出力口に接続されている携帯電子機器に出力を切り換えて順次制御することを特徴とする。
【発明の効果】
【０００９】
本発明により、携帯電話およびオーディオ機器の２つ以上接続することができる出力装置において、両方同時に出力しないように制御することで、携帯電子機器に対して安全でかつ安定した電源を供給することができる。
【発明を実施するための最良の形態】
【００１０】
以下本発明を実施するための最良の形態について、図を参照しながら説明する。
【００１１】
（実施の形態１）
図１は、本発明の実施の形態１における携帯電子機器への出力装置と、携帯電話およびオーディオ機器を接続した接続図である。図１において、携帯電子機器への出力装置１０１は、携帯電話機やオーディオ機器などの携帯電子機器１０４を接続することにより、接続された携帯電子機器１０４に対して充電を行う。このとき、制御回路１０２により接続部兼出力部Ａ１０３ａ、または接続部兼出力部Ｂ１０３ｂに接続されている携帯電子機器１０４があるかの判断や、接続されている場合にはその接続されている接続部兼出力部の携帯電子機器１０４に対して優先順位を判断し出力制御を行う。
【００１２】
図１を用いて、本実施の形態１における接続された携帯電子機器の判別方法および出力制御について詳細に説明する。携帯電子機器への出力装置１０１に携帯電子機器１０４が接続される際、接続部兼出力部Ａ１０３ａ、および接続部兼出力部Ｂ１０３ｂには、接続した時にコネクターなどの機械的接触により動作するスイッチを具備しており、制御回路１０２によってどの接続部兼出力部に携帯電子機器が接続されたかの状態を検出することが可能となる。これにより、優先される接続部兼出力部に接続された携帯電子機器に対して出力制御を行うという効果を有する。
【００１３】
一方、接続された携帯電子機器の接続を検出する方法として、接続部兼出力部Ａ１０３ａ、および接続部兼出力部Ｂ１０３ｂに接続された携帯電話およびオーディオ機器などの充電出力を一定間隔で交互にＯＮ／ＯＦＦし、ＯＮしたときの出力電流の有無によりどの機器が接続されているかの接続状態の検出を制御回路１０２で行う。これにより、コネクターなどの機械的接触により動作するスイッチを具備せずに接続部の検知が可能となるため、上記のような機械的なスイッチを具備できない場合においても検知が可能となるという効果を有する。
【００１４】
またその際、制御回路１０２において、接続部兼出力部Ａ１０３ａ、および接続部兼出力部Ｂ１０３ｂに接続された携帯電話およびオーディオ機器などの充電出力を一定間隔で交互にＯＮ／ＯＦＦし、ＯＮしたときの一定期間に出力電流が流れない場合には、携帯電子機器１０４への出力を停止状態とすることにより、電源の消費を抑える効果がある。
【００１５】
また、２つ以上の携帯電子機器が接続されている場合において、第一優先に出力を行う携帯電子機器を決定し出力を行った後に、その第一優先の携帯電子機器の充電終了後は、複数接続されている第二優先の携帯電子機器に対して、順次に出力の制御を可能とすることにより、携帯電子機器に安定した電源を供給することができる。
【００１６】
また、この２つ以上の携帯電子機器が接続されている場合の、順次に出力する優先機器の決定であるが、使用台数から考えて携帯電話を第一優先とする方法もあるが、主にオーディオ機器を使用するユーザーにとっても使い易くするために、その優先機器の選択において、優先する出力をユーザーの好みで決めることが可能な機械的なスイッチを具備することにより、優先する出力を切り換えて出力制御を行うことも可能になる。
【産業上の利用可能性】
【００１７】
本発明にかかる出力装置は、携帯電話機およびオーディオ機器の２つ以上の携帯電子機
器に対し接続を検知した後に、同時に出力しないように制御することにより、携帯電子機器に対して安全でかつ安定した電源を供給することができる。
【図面の簡単な説明】
【００１８】
【図１】本発明の実施の形態１における携帯電子機器への出力装置と、携帯電話およびオーディオ機器を接続した接続図
【符号の説明】
【００１９】
１０１    携帯電子機器への出力装置
１０２    制御回路
１０３ａ  接続部兼出力部Ａ
１０３ｂ  接続部兼出力部Ｂ
１０４    携帯電子機器
【図１】
2010011573.tif 000003